(57)【要約】      （修正有）【課題】杖の高さ調節手段を握り柄自体が支柱に対し摺動および係止可能な構成とし、軽量化、支柱の強化、構成要素数の削減および調節の容易さを図らんとする。【解決手段】支柱１の挿入部１２が伸長方向に沿って複数個の凹みからなる係止部１３を備える。握り柄２は端部に摺動部材２５を内壁に固着した挿入穴２１が設けられ、挿入部１２が貫通して摺動可能に嵌りあう。挿入穴２１の貫通方向に対して略直角方向へ刀剣の鍔状に突起して内部に収容隙間を備えた鍔状部２２および把持部２３を有する。挿入穴２１内下方で前方へ突起した被係止部３４が、係止部１３のいずれかの凹みへ嵌まり込み、把持部２３にかかる荷重によって生まれる自在鉤的作用力と相俟って握り柄２が係止される。握り柄２を反時計方向へ回動して被係止部３４を係止部１３から離脱でき、位置調節可能となる。【選択図】図３
2007195955.tif 000002
【特許請求の範囲】
【請求項１】
棒状に伸長して形成された支柱と、該支柱の上部から略直角方向に伸びる握り柄とからなる歩行用杖において、
握り柄は、一方の端部に支柱が貫通して摺動可能に嵌りあう挿入穴が設けられて、該挿入穴の貫通方向に対して略直角方向へ伸長して形成され、伸長した全長さの前記挿入穴寄りの位置に、刀剣の鍔状に突起した鍔状部を備え、且つ該鍔状部の終端から他方の端部までが把持可能に伸長した把持部として形成されており、
支柱は、一方の端部から握り柄の取り付け位置を変更可能に所定の長さに渡って均一な縦断面形状の挿入部を備えて伸長して形成され、該挿入部と握り柄の前記挿入穴との接合部は静止摩擦力が互いに作用し合うよう嵌合しており、且つ該静止摩擦力に抗して握り柄の前記挿入穴近傍を、支柱の伸長方向に沿って押引することにより摺動可能であって、前記挿入穴の中芯位置から離間した前記把持部にかかる荷重に対しては、自在鉤的な力の作用によって前記挿入部と前記挿入穴との嵌合部が係止されることを特徴とし、且つ
前記挿入部が伸長方向に沿って複数個の凹みあるいは切り欠きからなる係止部を備えており、前記挿入穴内面の延長上の位置には被係止部が形成されており、前記挿入穴の内面に設けられた摺動部材が弾性的に変形可能であって、該摺動部材の弾性力によって前記被係止部が前記係止部と互いに嵌り合うよう付勢されていることを特徴とする杖。
【請求項２】
握り柄に装着された被係止片が前記被係止部を備えて形成されており、前記係止部との係止が解除される方向へ相対位置可動であって且つ元位置に復するよう弾性体の付勢力によって付勢されたことを特徴とする請求項１記載の杖。
【請求項３】
握り柄に装着された被係止片が前記被係止部および操作部を備えて形成されており、前記係止部との係止が解除される方向へ相対位置可動であって且つ元位置に復するよう弾性体の付勢力によって付勢されており、付勢力に抗して前記操作部を操作することにより係止を解除できることを特徴とする請求項２記載の杖。
【請求項４】
請求項１、２又は３に記載した支柱に対する握り柄の摺動および係止手段を備えて形成された握り柄とカフを有するロフストランドクラッチ、並びに握り柄と脇当てを有する松葉杖等のクラッチ類。
【発明の詳細な説明】
【技術分野】
【０００１】
本発明は、支柱の長手方向に対して、段階的あるいは無段階に且つ容易に位置を変え得る握り柄を備えた杖に関するものである。
【背景技術】
【０００２】
一本の棒状体の上端部に略直角な握り柄を備えたいわゆる「T型杖」が歩行を補助するものとして一般的に使用されており、これらの内、握り柄の高さを調節するため、支柱の長さを伸縮する機能を備えたものがある。
【０００３】
一方の管と他方の管またはシャフトをスライド可能に嵌合させ、一方の管に段階的に設けられた複数個の穴のいずれかに、他方の管に内蔵された係止ピンが付勢力によって嵌り込んで相互の位置を固定する係止手段が、文献１、２に示されている。確実な係止力が得られるが、管の強度を維持するために複数個の穴間の距離が制限され、長さ調節のステップが大きくなってしまうと言う課題が残る。
また係止手段が、両者間に配置された制動部材を両者の相対回転等によって変形させることにより発生する両者間の摩擦力を利用して固定する係止手段が、文献３、４に示されている。無段階に調節できる長所は認められているが、管内の限られたスペースにおいて制動部材の変形による摩擦力で強固な係止力を得るためには、複数の部材それぞれが高精度、高強度、高品質を要求されると言う課題がある。
また外管の中芯に固定された芯金が外管に挿入された内管の中まで伸び出しており、内管の上端に取り付けられたチェーンの並列するピンが順次交互に該芯金に絡み付いているよう構成された係止手段が、文献５に示されている。この構成による杖に荷重すると、ジグザグ状チェーンの各ピンが芯金に食い込んでロックされる。杖長さの調節時にはチェーンの他方の自由端に連結したアンロック部材を操作して行うものである。これも無段階調節が可能であるが、価格面、耐久性の面での課題が指摘されている。
【特許文献１】特開２００２−３２５６０９
【特許文献２】特開２００３−１６９７０５
【特許文献３】特開平１１−３１８５２６
【特許文献４】特開２００３−２５０９３０
【特許文献５】特開２０００−９３４７１
【発明の開示】
【発明が解決しようとする課題】
【０００４】
本発明の杖は、前述した従来技術の杖に改良を加えようとするものである。先ず支柱を一本の管あるいはシャフトにすることによって、複数の管等による長さ調節方式の重複する部分を不要として軽量化および支柱の強化を図らんとする課題、また握り柄自体を支柱に対し摺動および係止可能な構成とすることにより、構成要素数の削減化および耐久性を向上させようとする課題、総じて高さ調節が簡単で使い易い杖を安価で提供しようとする課題を解決しようとするものである。
【課題を解決するための手段】
【０００５】
本発明による杖は、棒状に伸長して形成された支柱と、該支柱の上部から略直角方向に伸びる握り柄とによって構成され、
握り柄が、一方の端部に支柱が貫通して摺動可能に嵌りあう挿入穴が設けられて、該挿入穴の貫通方向に対して略直角方向へ伸長して形成され、伸長した全長さの前記挿入穴寄りの位置に、刀剣の鍔状に突起した鍔状部を備え、且つ該鍔状部の終端から他方の端部までが把持可能に伸長した把持部として形成されている。
支柱は、一方の端部から握り柄の取り付け位置を変更可能に所定の長さに渡って均一な縦断面形状の挿入部を備えて伸長して形成され、該挿入部と握り柄の前記挿入穴との接合部は静止摩擦力が互いに作用し合うよう嵌合しており、且つ該静止摩擦力に抗して握り柄の前記挿入穴近傍を、支柱の伸長方向に沿って押引することにより摺動可能であって、前記挿入穴の中芯位置から離間した前記把持部にかかる荷重に対しては、自在鉤的な力の作用によって前記挿入部と前記挿入穴との嵌合部が係止される。且つ、
前記挿入部が伸長方向に沿って複数個の凹みあるいは切り欠きからなる係止部を備えており、前記挿入穴内面の延長上の位置には被係止部が形成されており、前記挿入穴の内面に設けられた摺動部材が弾性的に変形可能であって、該摺動部材の弾性力によって前記被係止部が前記係止部と互いに嵌り合うよう付勢されているものである。
付勢力に抗して、杖使用時にかける力と反対方向の力（支柱に対して握り柄を上方へ引き上げる方向の回転力）を握り柄にかけると係止が解除され、握り柄の前記挿入穴近傍を支柱の伸長方向に沿って押引することにより摺動可能である。
【０００６】
また本発明による杖は、握り柄に装着された被係止片が前記被係止部を備えて形成されており、前記係止部との係止が解除される方向へ相対位置可動であって且つ元位置に復するよう弾性体の付勢力によって付勢されたものである。
【０００７】
また本発明による杖は、握り柄に装着された被係止片が前記被係止部および操作部を備えて形成されており、該被係止部の係止が解除される方向へ相対位置可動であって且つ元位置に復するよう弾性体の付勢力によって付勢されており、付勢力に抗して該操作部を操作することにより係止を解除できるものである。なおこの場合は前記摺動部材が弾性的に変形可能であることを要しない。
【０００８】
また本発明によるクラッチ類は、前記した支柱に対する握り柄の摺動および係止手段を備えて形成された握り柄とカフを有するロフストランドクラッチであり、また同摺動および係止段手段を備えて形成された握り柄と脇当てを有する松葉杖等である。
【発明の効果】
【０００９】
本発明の握り柄を備えた杖は、先ず支柱を一本の管あるいはシャフトにすることによって、複数の管による長さ調節方式の重複する部分を不要として軽量化の効果および支柱自体を強化できると言う効果がある。また握り柄自体を支柱に対し摺動可能且つ係止可能な構成とすることにより、構成要素数の削減効果および耐久性を向上させ得る効果、総じて高さ調節が簡単で使い易い杖を安価で提供できると言う効果が期待できる。
また、挿入穴の内壁に摺動部材を備えることによって両者間の静止摩擦力および自在鉤的な係止力がより安定する。
また、支柱の挿入部に係止部を、握り柄に被係止部を備えて両者が互いに嵌り合うことにより、更に両者間の係止力が付加される。
【発明を実施するための最良の形態】
【００１０】
本発明に係わる杖を好適な実施例について、その形態を添付図面に基づいて説明する。なお本発明による杖は、握り柄が進行方向へ伸長した向きでも使用できるものであるが、図面での説明上、図１ないし図１２においては、握り柄が進行方向と逆の方向へ伸長した向きで使用する状態を示し、図１３および図１４については、握り柄が進行方向へ伸長した向きで使用する状態を示すことにした。文中の「進行方向」「前」は杖を使って前進する方向を指し、「右」「左」「後」は前進方向に対してその旨を示すものである。
【実施例１】
【００１１】
図１は、実施例１の杖を進行方向の左側面やや後上方から見た斜視図である。図２は握り柄を進行方向の左側面斜め前下方から見た一部中央横断面図であり、図３は杖の握り柄近傍を進行方向の左側面から見た一部中央横断面図であり、図１０は本実施例の杖の被係止部が係止解除された状態（握り柄を支柱に対して矢印方向へ回動）において、握り柄近傍を進行方向の左側面から見た一部中央横断面図である。図１５は本実施例の支柱１における挿入部１２の別態様を示した進行方向の左側面やや後上方から見た縦断面を含む斜視図である。
【００１２】
杖の進行方向面内において、途中で逆「く」の字状に屈曲して一本の円筒状に伸長した支柱１が、一方の端部から握り柄２の取り付け位置を変更可能に所定の長さに渡って均一な縦断面形状の挿入部１２を備えて伸長して形成され、開口端部には樹脂製の栓が固着されている。他方の伸長端部に石突１１を備える。
握り柄２は、一方の端部に支柱１が貫通して摺動可能に嵌りあう挿入穴２１が設けられて、該挿入穴２１の貫通方向に対して略直角方向へ伸長して形成され、伸長した全長さの挿入穴２１寄りの位置に、刀剣の鍔状に突起した鍔状部２２を備え、且つ該鍔状部２２の終端から他方の端部までが把持可能に伸長した把持部２３として形成されている。
【００１３】
支柱１の挿入部１２と挿入穴２１との接合部は静止摩擦力が互いに作用し合うよう嵌合しており、且つ該静止摩擦力に抗して握り柄２の挿入穴２１近傍を、支柱１の伸長方向に沿って押引することにより摺動可能である。また挿入穴２１の中芯位置から離間した把持部２３にかかる荷重に対しては自在鉤的な力の作用により、両者の接合部において握り柄２が支柱１に係止される。
【００１４】
支柱１の挿入部１２は、その伸長方向に沿って複数個の凹みからなる係止部１３を備えている。係止部１３は、杖の進行方向から見て支柱１の挿入部１２の後側に並列した複数個の凹みからなり、該凹みは左右方向へ半円弧状に貫通して形成されている。切り欠き又は丸穴等であってもよいが、凹みの方が支柱１の強度を損なうことなく並列距離を短くでき、位置調節のステップを短くとれる有利性がある。
なお、並列した複数個の凹みを有する係止部１３は、強化樹脂等を用いて別個に形成され、支柱１の挿入部１２の伸長方向に沿って固着されたものであっても良い（図１５）。
【００１５】
本実施例の支柱１は、外周にアルマイト皮膜処理を施した肉厚1ｍｍの高力アルミニュウム円管である。強化樹脂管あるいは棒材から成形されたもであっても良い。また木材から成形されたものであっても良いが、この場合は挿入部１２の外周が金属あるいは強化樹脂等によって被覆されていることが望ましい。本例では挿入部１２の縦断面形状の外周は、杖の進行方向に長軸を有する長円形に成形されているが、楕円形、直線と円弧で形成される「D字」形あるいは四辺形であっても良い。握り柄２が支柱１の軸心に対して回動を防止するための形状である。本実施例では長円形状の長軸は２５ｍｍ、短軸は２０ｍｍ、肉厚は１ｍｍとした。勿論円形であっても良いが、上記回動を防止するためには他の手段を要する。
【００１６】
握り柄２は、強化樹脂材によって成形されている。鍔状部２２は挿入穴２１を備えた端部と把持部２３との間に上下方向へ突出して成形され、把持部２３を挿入穴２１の位置から離間させている。自在鉤的な作用力が嵌合部の係止力として有効に作用するために、挿入穴２１の支柱１との接合部の有効長さは直径Ｄと同等〜１.５倍、把持部２３の中央位置が挿入穴２１から離間する距離は直径Ｄの５〜８倍程度が望ましい。
該挿入穴２１の内壁には摺動部材２５が固着されており、該摺動部材２５の内面は支柱１の挿入部１２が貫通して摺動可能に嵌りあう接合部として構成されている。摺動部材２５は、筒状に形成されており複数個に分割されたものであっても良い。ブレーキシュー材として耐摩耗性に優れ、支柱１の挿入部１２の外周面との静止摩擦係数が安定したものが好適である。表面加工を施したフェルトや高摩擦係数の樹脂発泡材であっても良い。摺動部材２５が備わることにより、支柱１と握り柄２との摺動操作、および歩行時での係止力がより安定する。
【００１７】
握り柄２の挿入穴２１内面を延長した位置には、支柱１の係止部１３と互いに嵌り合う被係止部３４が形成されている。該被係止部３４は、杖の進行方向から見て挿入穴２１の下方後部の位置において、半円柱状に左右方向へ伸長して前方へ突起しており、係止部１３の凹みの一つと嵌り合っている。また、被係止部３４の突起は挿入穴２１の貫通方向へ離間した複数個の突起であっても良く、該複数個の突起は係止部１３の凹みの複数個と嵌り合う。この場合は、係止部１３の凹みおよび被係止部３４の突起それぞれの複数個を同一の離間距離に形成するものである。
【００１８】
摺動部材２５は、弾性的に変形可能な素材として形成されており、挿入穴２１の後方上部および前方下部に分割されて挿入穴２１内面に固着されている。図１０に示すように握り柄２を矢印方向へ回動して被係止部３４と支柱１の係止部１３との嵌り合い係止を解除できる。この状態において、握り柄２の挿入穴２１近傍を支柱１の伸長方向に沿って押引することにより摺動可能であり、容易に位置の調節ができる。
【実施例２】
【００１９】
図４は、実施例２の杖の握り柄近傍を進行方向の左側面斜め後上方から見た一部中央横断面展開図である。図５は杖の握り柄近傍を進行方向の左側面斜め前下方から見た一部中央横断面展開図であり、図６は杖の握り柄近傍を進行方向の左側面から見た一部中央横断面図であり、図１１は本実施例の杖の被係止部が係止解除された状態（握り柄を支柱に対して矢印方向へ回動）における、握り柄近傍を進行方向の左側面から見た一部中央横断面図である。
【００２０】
本実施例の杖は、前記被係止部３４を備えて形成された被係止片３が、前記係止部１３との係止が解除される方向へ相対位置可動であって且つ元位置に復するよう付勢されて握り柄２に装着されており、その他は実施例１と同等に構成されたものである。即ち、
【００２１】
支柱１は実施例１と同等に、挿入部１２がその伸長方向に沿って複数個の凹みからなる係止部１３を備えて形成される。
握り柄２は、挿入穴２１近傍の下面に開口して、被係止片３および弾性体４を収容する収容隙間２７が左右方向の中央位置に設けられ，該収容隙間２７の前側壁面の下方寄り位置には、挿入穴２１の貫通する方向に対して垂直方向へガイド穴２８が前方へ向かって貫通している。
【００２２】
被係止片３は、円盤状に形成された中央部から後方へは円柱状に細く突起しており、前方には前方が半円弧の逆「Ｄ」字状の断面で左右方向へ伸長した被係止部３４を備えて収容隙間２７に収容されている。該被係止部３４はガイド穴２８へスライド可能に挿入されており、前端の半円弧部分はガイド穴２８から抜け出て、支柱１の係止部１３と嵌り合っている。ステンレススチール等の金属により成形される。
【００２３】
弾性体４は、逆「Ｕ」字形に上方で湾曲した板バネであり、前方下部に設けた穴に被係止片３の前記円柱状の細い突起を挿通して円盤状の中央部に接し、後方下部が収容隙間２７の後側壁面に接して収容されている。板バネが圧縮された状態で収容隙間２７に収容されており、被係止片３を前方へ付勢している。この被係止片および板バネによる係止機構は、2本の管をスライド可能に嵌合して管内に設けた長さ調節形式の従来の杖にも見られるものであり、本実施例では板バネに替えてコイルスプリング又はゴム等を使用することもできる。
【００２４】
摺動部材２５は、挿入穴２１の後方上部および前方下部に分割されて挿入穴２１内面に固着されている。フッ素を充填したポリウレタンを用いて弾性的に変形可能に形成されており、図１１に示すように握り柄２を矢印方向へ回動して被係止部３４と支柱１の係止部１３との嵌り合い係止を解除でき、握り柄２の挿入穴２１近傍を支柱１の伸長方向に沿って押引することにより摺動可能である。
【実施例３】
【００２５】
図７は、実施例３の杖の握り柄近傍を進行方向の左側面斜め後上方から見た一部中央横断面展開図である。図８は杖の握り柄近傍を進行方向の左側面斜め前下方から見た一部中央横断面展開図であり、図９は杖の握り柄近傍を進行方向の左側面から見た一部中央横断面図であり、図１２は本実施例の杖の被係止部が係止解除された状態（操作部を支柱に対して矢印方向へ回動）における、握り柄近傍を進行方向の左側面から見た一部中央横断面図である。
【００２６】
本実施例の杖は、前記被係止片３が前記被係止部３４および操作部３１を備えて形成されており、前記係止部１３との係止が解除される方向へ相対位置可動であって且つ元位置に復するよう弾性体の付勢力によって付勢されて握り柄２に装着されており、付勢力に抗して操作部３１を操作することにより係止を解除できるもので、その他の構成は実施例２と同等である。即ち、
【００２７】
支柱１は前実施例と同等に、挿入部１２がその伸長方向に沿って複数個の凹みからなる係止部１３を備えて形成される。
握り柄２は、挿入穴２１近傍の下面に開口して、被係止片３および弾性体４を収容する収容隙間２７が左右方向の中央位置に設けられ、該収容隙間２７の前側壁面の下方には、挿入穴２１の貫通する方向に対して垂直方向へガイド溝２６が前方へ向かって貫通しており、上部に左右方向へ貫通する軸受穴２９が備わる。
【００２８】
被係止片３は、前面下部に前方へ突起した被係止部３４と、下面に突起した操作部３１と、上部に左右方向へ貫通する丸穴３２と、後面に開口した弾性体収容穴３３とを備えて強化樹脂によって形成されており、弾性体収容穴３３に収容した弾性体４と共に握り柄２の収容隙間２７に収容されている。回動軸３５が収容隙間２７の軸受穴２９および被係止片３の丸穴３２に挿入され、被係止片３が回動自在に軸止される。被係止部３４前端の半円弧部分はガイド溝２６から抜け出て、支柱１の係止部１３と嵌り合っている。
【００２９】
弾性体４は、圧縮された状態で弾性体収容穴３３に収容されており、後側端面は収容隙間２７の後側壁面に接して被係止片３を前方へ付勢している。本実施例では合成ゴムを成形したものであるが、コイルスプリング、金属板バネ等を使用することもできる。
図１２に示すように、付勢力に抗して操作部３１を矢印方向へ回動して被係止部３４と支柱１の係止部１３との嵌り合い係止を解除でき、握り柄２の挿入穴２１近傍を支柱１の伸長方向に沿って押引することにより摺動可能である。
【００３０】
摺動部材２５は、挿入穴２１の後方上部および前方下部に分割されて挿入穴２１内面に固着されている。フッ素を充填したポリウレタンを用いて弾性的に変形可能に形成されているので、実施例１又は２と同様に、握り柄２を反時計方向へ回動することによっても被係止部３４と支柱１の係止部１３との嵌り合い係止を解除できる。
なお、本実施例の杖は、非弾性、非変形の摺動部材２５を用いることができ、また挿入穴が摺動部材を要しないものであっても良く、この場合には、嵌り合い係止の解除操作は操作部３１を（図１２の矢印方向へ）回動して行うことのみとなる。
【実施例４】
【００３１】
図１３は、実施例５のロフストランドクラッチを進行方向の左側面やや前上方から見た斜視図である。
本実施例のロフストランドクラッチは実施例１の杖において、支柱１の挿入部１２を上方へ所定の長さだけ延長して形成し、該延長部分に前腕保持具（カフ）５１を取り付けたものである。該前腕保持具５１は、前腕保持部が前方で開口した短い筒状に形成され、その後方に握り柄２と同等な鍔状部２２および挿入穴２１を備えて強化樹脂を用いて成形される。その他の部分の構成については実施例１の杖と同等であり、説明を省略する。
握り柄２および前腕保持具５１を、それぞれ個々に時計方向へ回動して支柱１の挿入部１２との嵌り合い係止を解除でき、挿入穴２１近傍を挿入部１２の伸長方向に沿って押引することにより摺動可能である。なお本実施例では，実施例１における支柱に対する握り柄の摺動および係止段手段を用いたものであるが、実施例２ないし３における摺動および係止段手段によっても構成できる。
【実施例５】
【００３２】
図１４は、実施例５の松葉杖を進行方向の左側面やや前上方から見た斜視図である。
本実施例の松葉杖は実施例１の杖において、支柱１の挿入部１２を上方へ所定の長さだけ延長して形成し、該延長部分に腋当て５３を取り付けたものである。該腋当て５３は実施例１の握り柄の把持部を腋当てとして所定長さに延長して形成したものであって、握り柄２と同等に強化樹脂を用いて成形される。その他の部分の構成については実施例１の杖と同等であり、説明を省略する。
握り柄２および腋当て５３を、それぞれ個々に時計方向へ回動して支柱１の挿入部１２との嵌り合い係止を解除でき、挿入穴２１近傍を挿入部１２の伸長方向に沿って押引することにより摺動可能である。なお本実施例では，実施例１における支柱に対する握り柄の摺動および係止段手段を用いたものであるが、実施例２ないし３における摺動および係止段手段によっても構成できる。
【産業上の利用可能性】
【００３３】
本発明による杖の支柱に供する摺動および係止段手段は、歩行器、シルバーカーおよびベビーカー等にも適用できるものである。
【図面の簡単な説明】
【００３４】
【図１】実施例１の杖を進行方向の左側面やや後上方から見た斜視図
【図２】実施例１の握り柄を進行方向の左側面斜め前下方から見た一部中央横断面図
【図３】実施例１の杖の握り柄近傍を進行方向の左側面から見た一部中央横断面図
【図４】実施例２の杖の握り柄近傍を進行方向の左側面斜め後上方から見た一部中央横断面展開図
【図５】実施例２の杖の握り柄近傍を進行方向の左側面斜め前下方から見た一部中央横断面展開図
【図６】実施例２の杖の握り柄近傍を進行方向の左側面から見た一部中央横断面図
【図７】実施例３の杖の握り柄近傍を進行方向の左側面斜め後上方から見た一部中央横断面展開図
【図８】実施例３の杖の握り柄近傍を進行方向の左側面斜め前下方から見た一部中央横断面展開図
【図９】実施例３の杖の握り柄近傍を進行方向の左側面から見た一部中央横断面図
【図１０】実施例１の杖の被係止部が係止解除された状態（握り柄を支柱に対して矢印方向へ回動）において、握り柄近傍を進行方向の左側面から見た一部中央横断面図
【図１１】実施例２の杖の被係止部が係止解除された状態（握り柄を支柱に対して矢印方向へ回動）において、握り柄近傍を進行方向の左側面から見た一部中央横断面図
【図１２】実施例３の杖の被係止部が係止解除された状態（操作部を支柱に対して矢印方向へ回動）において、握り柄近傍を進行方向の左側面から見た一部中央横断面図
【図１３】実施例４のロフストランド杖を進行方向の左側面やや前上方から見た斜視図
【図１４】実施例５の松葉杖を進行方向の左側面やや前上方から見た斜視図
【図１５】実施例１の支柱１における挿入部１２の別態様を示した進行方向の左側面やや後上方から見た縦断面を含む斜視図
【符号の説明】
【００３５】
１    支柱
１１    石突
１２    挿入部
１３    係止部
２    握り柄
２１    挿入穴
２２    鍔状部
２３    把持部
２５    摺動部材
２６    ガイド溝
２７    収容隙間
２８    ガイド穴
２９    軸受穴
３    被係止片
３１    操作部
３２    丸穴
３３    弾性体収容穴
３４    被係止部
３５    回動軸
４    弾性体
５１    カフ（前腕保持具）
５３    腋当て
【図１】
2007195955.tif 000003
【図２】
2007195955.tif 000004
【図３】
2007195955.tif 000005
【図４】
2007195955.tif 000006
【図５】
2007195955.tif 000007
【図６】
2007195955.tif 000008
【図７】
2007195955.tif 000009
【図８】
2007195955.tif 000010
【図９】
2007195955.tif 000011
【図１０】
2007195955.tif 000012
【図１１】
2007195955.tif 000013
【図１２】
2007195955.tif 000014
【図１３】
2007195955.tif 000015
【図１４】
2007195955.tif 000016
【図１５】
2007195955.tif 000017